(57)【要約】【課題】電力変換効率を向上でき、かつ、装置の肥大化を防止できるスイッチング電源を提供する。【解決手段】スイッチング電源としてのＤＣ／ＤＣコンバータ２は、入力電圧を変換し出力電圧を生成する電圧変換動作を実行可能なスイッチング方式の電源回路２１と、電源回路２１の電圧変換動作を制御する制御部２２と、を備える。制御部２２は、電源回路２１の負荷率が所定値以上となる状態のとき、電源回路２１の電圧変換動作を実行させる。【選択図】図２
2015220901.tif 000002
【特許請求の範囲】
【請求項１】
入力電圧を変換し出力電圧を生成する電圧変換動作を実行可能なスイッチング方式の電源回路と、
前記電源回路の前記電圧変換動作を制御する制御部と、
を備え、
前記制御部は、前記電源回路の負荷率が所定値以上となる状態のとき、前記電源回路の前記電圧変換動作を実行させる
ことを特徴とするスイッチング電源。
【請求項２】
前記制御部は、前記電源回路の出力側の蓄電装置の蓄電残量が所定値以下のとき、前記電源回路の前記電圧変換動作を実行させることを特徴とする、請求項１に記載のスイッチング電源。
【請求項３】
前記制御部は、前記電源回路の出力側の負荷対象の状態を監視し、前記負荷対象が作動状態の場合には、前記負荷対象が非作動状態の場合に比べて、前記蓄電残量の前記所定値を増加させることを特徴とする、請求項２に記載のスイッチング電源。
【発明の詳細な説明】
【技術分野】
【０００１】
本発明は、スイッチング電源に関する。
【背景技術】
【０００２】
従来、入力電圧を変換し出力電圧を生成するスイッチング電源は、最大出力に対応するための設計及び制御が実施されている。つまり、スイッチング電源は、負荷変動によって電力変換効率も変動し、特に負荷が軽いほど（負荷率が低いほど）電力変換効率が悪化する傾向がある。これに対して、例えば特許文献１には、複数のＤＣ／ＤＣコンバータ（スイッチング電源）を並列接続し、装置の負荷電流に合わせて動作させるＤＣ／ＤＣコンバータの個数を制御することで、軽負荷状態が生じるのを回避して電力変換効率の低下を防止する構成が開示されている。
【先行技術文献】
【特許文献】
【０００３】
【特許文献１】特開２０１２−２１００１３号公報
【発明の概要】
【発明が解決しようとする課題】
【０００４】
しかしながら、特許文献１に記載されるように複数のスイッチング電源を並列接続するする電源装置の場合、装置に組み込まれるスイッチング電源の個数が増えるので、装置が肥大化するという問題があった。
【０００５】
本発明は、上記に鑑みてなされたものであって、電力変換効率を向上でき、かつ、装置の肥大化を防止できるスイッチング電源を提供することを目的とする。
【課題を解決するための手段】
【０００６】
上記の課題を解決するため、本発明に係るスイッチング電源は、入力電圧を変換し出力電圧を生成する電圧変換動作を実行可能なスイッチング方式の電源回路と、前記電源回路の前記電圧変換動作を制御する制御部と、を備え、前記制御部は、前記電源回路の負荷率が所定値以上となる状態のとき、前記電源回路の前記電圧変換動作を実行させることを特徴とする。
【０００７】
また、上記のスイッチング電源において、前記制御部は、前記電源回路の出力側の蓄電装置の蓄電残量が所定値以下のとき、前記電源回路の前記電圧変換動作を実行させることが好ましい。
【０００８】
また、上記のスイッチング電源において、前記制御部は、前記電源回路の出力側の負荷対象の状態を監視し、前記負荷対象が作動状態の場合には、前記負荷対象が非作動状態の場合に比べて、前記蓄電残量の前記所定値を増加させることが好ましい。
【発明の効果】
【０００９】
本発明に係るスイッチング電源は、電源回路の負荷率を所定値以上にできる状態に絞って、電源回路の電圧変換動作を実行するので、電力変換効率を高い位置に維持することができる。また、単一のスイッチング電源による電圧変換動作の実施／停止を切り替えることによって電力変換効率の向上を図る構成であり、軽負荷状態が生じるのを回避するために複数のスイッチング電源を併用する必要がない。これにより、電力変換効率を向上でき、かつ、装置の肥大化を防止できるという効果を奏する。
【図面の簡単な説明】
【００１０】
【図１】図１は、本発明の一実施形態に係るＤＣ／ＤＣコンバータ（スイッチング電源）が適用される電源装置の概略構成の一例を示す図である。
【図２】図２は、図１中の本実施形態に係るＤＣ／ＤＣコンバータの概略構成を示すブロック図である。
【図３】図３は、本実施形態に係るＤＣ／ＤＣコンバータによる電圧変換動作の切替処理を示すフローチャートである。
【図４】図４は、スイッチング電源における負荷率に対する電力変換効率の特性の一例を示す図である。
【図５】図５は、本実施形態に係るスイッチング電源が適用される電源装置の概略構成の他の例を示す図である。
【発明を実施するための形態】
【００１１】
以下に、本発明に係るスイッチング電源の実施形態を図面に基づいて説明する。なお、以下の図面において、同一または相当する部分には同一の参照番号を付し、その説明は繰り返さない。
【００１２】
［実施形態］
まず図１，２を参照して、本発明の一実施形態に係るスイッチング電源の構成を説明する。図１は、本発明の一実施形態に係るＤＣ／ＤＣコンバータ（スイッチング電源）が適用される電源装置の概略構成の一例を示す図である。図２は、図１中の本実施形態に係るＤＣ／ＤＣコンバータの概略構成を示すブロック図である。
【００１３】
図１に例示する電源装置１は、例えばハイブリッド車両においてエンジンを始動させるスタータモータ４に電力を供給するための装置である。なお、本実施形態では、この電源装置１に適用され、入力電圧を変換し出力電圧を生成するスイッチング電源の一例として、降圧型のＤＣ／ＤＣコンバータ２を挙げて説明する。
【００１４】
図１に示すように、電源装置１は、ＤＣ／ＤＣコンバータ２と、発電機３と、スタータモータ４と、高圧側バッテリ５と、低圧側バッテリ６と、高圧側負荷７と、低圧側負荷８と、を備えている。
【００１５】
ＤＣ／ＤＣコンバータ２は、降圧型であり、図１の例では４８Ｖの入力電圧を１４Ｖの出力電圧に降圧する電圧変換動作を実行可能である。図１に示す電源装置１の構成では、ＤＣ／ＤＣコンバータ２は、電圧変換動作の実行時には、高圧側（発電機３または高圧側バッテリ５）から入力される電力を、電圧変換を行った後に低圧側（低圧側バッテリ６、低圧側負荷８、またはスタータモータ４）に出力する。
【００１６】
発電機３は、動力エネルギから電気エネルギ（電力）を得るものであり、生成した電力をＤＣ／ＤＣコンバータ２、高圧側バッテリ５、高圧側負荷７に供給する。高圧側バッテリ５は、発電機３から供給される電力を蓄電する蓄電装置であり、蓄電された電力を高圧側負荷７に供給する。高圧側負荷７は、発電機３または高圧側バッテリ５から供給される電力によって作動する任意の装置である。
【００１７】
低圧側バッテリ６は、ＤＣ／ＤＣコンバータ２を介して発電機３から供給される電力を蓄電する蓄電装置であり、蓄電された電力をスタータモータ４及び低圧側負荷８に供給する。低圧側負荷８は、発電機３または低圧側バッテリ６から供給される電力によって作動する任意の装置である。スタータモータ４は、発電機３または低圧側バッテリ６から供給される電力によって作動する。
【００１８】
図２に示すように、ＤＣ／ＤＣコンバータ２は、電源回路２１と、制御部２２とを備える。
【００１９】
電源回路２１は、入力電圧を変換し出力電圧を生成する電圧変換動作を実行可能なスイッチング方式の電源を構成する電圧変換回路である。なお電源回路２１は、その構成要素のうちのスイッチング素子のオン・オフを制御することにより所望の出力電圧を生成する公知の回路を用いることができるため、内部構成の詳細については説明を省略する。
【００２０】
制御部２２は、電源回路２１の電圧変換動作を制御する。制御部２２は、具体的には、電源回路２１のスイッチング素子のオン・オフを制御することで、上記の電圧変換動作を制御する。図２に示すように、制御部２２には、車両動作状況（イグニッションのオン／オフ）、エンジン動作状況（エンジン回転数）、発電機動作状況（発電機電圧）、バッテリ状態（低圧側バッテリ６の電圧及び電流）、負荷動作状況（負荷のオン（作動状態）／オフ（非作動状態））などの各種情報が入力される。負荷動作状況は、例えば通信を利用して得ることができる。制御部２２は、これらの入力情報に基づいて、電源回路２１による電圧変換動作の実行可否を判定する。より詳細には、制御部２２は、上記の入力情報に基づいて、電源回路２１の負荷率が所定値以上となる状態と判定した場合には、電源回路２１の電圧変換動作を実行させる。一方、電源回路２１の負荷率が所定値を下回る状態と判定した場合には、制御部２２は、電源回路２１を待機状態に切り替えて電圧変換動作を実行させない。なお、制御部２２が電源回路２１の負荷率が所定値以上となる状態と判定するための具体的な手法については図３を参照して後述する。
【００２１】
制御部２２は、物理的には、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）及びインタフェースを含む周知のマイクロコンピュータを主体とする電子回路を含んで構成される集積回路である。制御部２２の機能は、ＲＯＭに保持されるアプリケーションプログラムをＲＡＭにロードしてＣＰＵで実行することによって、ＣＰＵの制御のもとで電源装置１の各種装置を動作させるとともに、ＲＡＭやＲＯＭにおけるデータの読み出し及び書き込みを行うことで実現される。なお、制御部２２をアナログ回路により構成し、アナログ回路の動作によって制御部２２の各機能を実現することもできる。
【００２２】
次に、図３を参照して、本実施形態に係るＤＣ／ＤＣコンバータ２（スイッチング電源）の動作を説明する。図３は、本実施形態に係るＤＣ／ＤＣコンバータによる電圧変換動作の切替処理を示すフローチャートである。図３に示すフローチャートの処理は、ＤＣ／ＤＣコンバータ２の制御部２２により、例えば所定周期ごとに実施される。
【００２３】
ステップＳ０１では、低圧側バッテリ６の充電状態の検出が開始される。ステップＳ０１の処理が完了するとステップＳ０２に移行する。
【００２４】
ステップＳ０２では、ＤＣ／ＤＣコンバータ２が、電圧変換動作を実行しない待機状態に設定される。ステップＳ０２の処理が完了するとステップＳ０３に移行する。
【００２５】
ステップＳ０３では、電源装置１が搭載される車両がイグニッションオン状態（ＩＧ＝ＯＮ）であるか否かが判定される。制御部２２は、例えば車両内から入力される車両動作状況に関する情報（イグニッションのオン／オフ）に基づいて、この判定を行うことができる。ステップＳ０３の判定の結果、イグニッションオン状態である場合（ステップＳ０３のＹｅｓ）にはステップＳ０４に移行する。一方、イグニッションオフ状態である場合（ステップＳ０３のＮｏ）には、ステップＳ０２に戻り、イグニッションオン状態となるまでＤＣ／ＤＣコンバータ２の待機状態が維持される。
【００２６】
ステップＳ０４では、低圧側負荷８が作動状態（オン状態）か否かが判定される。本実施形態では、低圧側負荷８が、ＤＣ／ＤＣコンバータ２の電源回路２１の出力側の負荷対象となる要素である。制御部２２は、例えば車両内から入力される負荷動作状況に関する情報（負荷のオン（作動状態）／オフ（非作動状態））に基づいて、電源回路２１の出力側の負荷対象の状態の判定を行うことができる。ステップＳ０４の判定の結果、低圧側負荷８が非作動状態の場合（ステップＳ０４のＮｏ）にはステップＳ０５に進み、低圧側負荷８が作動状態の場合（ステップＳ０４のＹｅｓ）にはステップＳ０６に進む。
【００２７】
ステップＳ０５では、ステップＳ０４にて低圧側負荷８が非作動状態と判定されたのに応じて、低圧側バッテリ６の充電状態（ＳＯＣ）が８０％を超えているか否かが判定される。制御部２２は、例えば車両内から入力されるバッテリ状態に関する情報（低圧側バッテリ６の電圧及び電流）に基づいてＳＯＣを算出し、算出したＳＯＣを用いてこの判定を行うことができる。ステップＳ０５の判定の結果、低圧側バッテリ６のＳＯＣが８０％以下である場合（ステップＳ０５のＮｏ）には、ステップＳ０７に進む。一方、低圧側バッテリ６のＳＯＣが８０％を超えている場合（ステップＳ０５のＹｅｓ）には、ステップＳ０２に戻り、低圧側バッテリ６のＳＯＣが８０％以下となるまでＤＣ／ＤＣコンバータ２の待機状態が維持される。
【００２８】
ステップＳ０６では、ステップＳ０４にて低圧側負荷８が作動状態と判定されたのに応じて、低圧側バッテリ６の充電状態（ＳＯＣ）が９０％を超えているか否かが判定される。ステップＳ０６の判定の結果、低圧側バッテリ６のＳＯＣが９０％以下である場合（ステップＳ０６のＮｏ）には、ステップＳ０７に進む。一方、低圧側バッテリ６のＳＯＣが９０％を超えている場合（ステップＳ０６のＹｅｓ）には、ステップＳ０２に戻り、低圧側バッテリ６のＳＯＣが９０％以下となるまでＤＣ／ＤＣコンバータ２の待機状態が維持される。
【００２９】
なお、本実施形態では、低圧側バッテリ６のＳＯＣの閾値として、ステップＳ０５では「８０％」を用い、ステップＳ０６では「９０％」を用いているが、ステップＳ０６の閾値をステップＳ０５のものより相対的に大きく設定すれば他の値でもよい。ステップＳ０５，Ｓ０６は、共に、ＳＯＣが所定の閾値（所定値）以下の場合、すなわち、低圧側バッテリ６が充分に蓄電する余裕のある状態である場合に、後述するステップＳ０８にてＤＣ／ＤＣコンバータ２の電圧変換動作を実行させるための判定条件である。ただし、ステップＳ０６では、ＤＣ／ＤＣコンバータ２の電源回路２１の出力側の負荷対象である低圧側負荷８が作動状態（駆動中）の場合に進む判定ステップであり、この場合にはＤＣ／ＤＣコンバータ２から低圧側に供給される電力の一部は、低圧側負荷８の駆動にも利用される。このため、ステップＳ０６の場合、低圧側負荷８が非作動状態（停止中）の場合に進むステップＳ０５と比較して、低圧側バッテリ６の充電可能量が相対的に少なくても、低圧側バッテリ６に電力が過剰供給されて過充電となる可能性が低いと考えられる。以上の理由によって、低圧側バッテリ６のＳＯＣの閾値は、ステップＳ０６の閾値をステップＳ０５のものより相対的に大きく設定する。言い換えると、低圧側負荷８が作動状態の場合には、低圧側負荷８が非作動状態の場合に比べて、低圧側バッテリ６のＳＯＣの閾値を嵩上げして増加させる。
【００３０】
ステップＳ０７では、発電機３が発電中であるか否かが判定される。制御部２２は、例えば車両内から入力される発電機動作状況に関する情報（発電機電圧）に基づいてこれを判定することができる。ステップＳ０７の判定の結果、発電機３が発電中である場合（ステップＳ０７のＹｅｓ）にはステップＳ０８に進む。一方、発電機３が停止中の場合（ステップＳ０７のＮｏ）には、ステップＳ０２に戻り、発電機３が駆動するまでＤＣ／ＤＣコンバータ２の待機状態が維持される。
【００３１】
ステップＳ０８では、ＤＣ／ＤＣコンバータ２により電圧変換動作が実行される。これにより、発電機３により生成された電力がＤＣ／ＤＣコンバータ２により降圧されて、低圧側バッテリ６に供給されて蓄電される。また、低圧側負荷８が作動状態である場合には、ＤＣ／ＤＣコンバータ２から出力された電力の一部が低圧側負荷８にも供給される。ステップＳ０８の処理が完了すると、ステップＳ０３に戻り、電圧変換動作を実行するための各条件（ステップＳ０３〜Ｓ０７）の判定が再度行われる。そして、各条件を満たしている間は電圧変換動作の実行が継続され、各条件を満たさなくなった場合にステップＳ０２へ移行して電圧変換動作が停止される。
【００３２】
図３のフローチャートに示した処理を纏めると、低圧側バッテリ６の蓄電残量が所定値以下であり、充分に蓄電する余裕がある状態のときに、ＤＣ／ＤＣコンバータ２の電圧変換動作を実行させている。一方、低圧側バッテリ６の蓄電残量が所定値より多く、蓄電する余裕が少ない状態のときに、電圧変換動作の実行を中止する。この理由について図４を参照して説明する。図４は、スイッチング電源における負荷率に対する電力変換効率の特性の一例を示す図である。
【００３３】
図４の横軸は、スイッチング電源（本実施形態ではＤＣ／ＤＣコンバータ２）の負荷率を示す。ここで「負荷率」とは、スイッチング電源を流れる電流（負荷電流）の定格電流（Ａ）に対する比率（あるいは定格出力容量（Ｗ）に対する負荷容量の比率）を百分率で表わすものである。つまり負荷率が１００％の状態とは、スイッチング電源に定格電流が流れている状態を意味する。また、図４の縦軸はスイッチング電源の電力変換効率ηを示す。ここで、「電力変換効率」とは、スイッチング電源において、入出力される電力が変換される効率を表す。電力変換効率ηは、スイッチング電源の入力電力と出力電力との比率であり、入力電力をＰＩＮ、出力電力ＰＯＵＴとすると、η＝ＰＯＵＴ／ＰＩＮ×１００（％）によって表すことができる。電力変換効率ηは、１００％に近づくほど効率が良いことになり、内部の損失が少なくなる。従って、電力変換効率を向上させれば、その分だけ電源装置を小型化することが可能である。そして、図４には、スイッチング電源における、負荷率と電力変換効率とに関する特性の一例を実線で示している。
【００３４】
図４に示すように、負荷率が低いほど（負荷が軽いほど）、電力変換効率ηは悪化する傾向となる。一方、負荷率が高くなるにつれて、電力変換効率ηは徐々に良好となってゆき、負荷率が１００％に近づくにつれて電力変換効率ηは高い位置で安定する。負荷率を高くするほど、電力変換効率を１００％近くに維持しやすくできる。つまり、ＤＣ／ＤＣコンバータ２に流れる負荷電流を定格電流に近づけるほど、負荷率が１００％に近づき、電力変換効率を向上させることができる。負荷率は１００％に近い程好ましいが、電力変換効率を１００％に近い領域に維持できる値であればよい。図４の例では、負荷率は５０％程度より大きければよく、７５％程度より大きい値となるのが好ましい。
【００３５】
ＤＣ／ＤＣコンバータ２に流れる負荷電流を定格電流まで大きくするには、電源装置１の低圧側で十分に電力を消費させる必要がある。本実施形態の電源装置１では、低圧側バッテリ６の蓄電残量が所定値以下のとき、低圧側バッテリ６の充電に用いる電流が定格電流付近まで見込めると判断する。そして、ＤＣ／ＤＣコンバータ２の電圧変換動作を実行させ高圧側から低圧側へ電流を流し、ＤＣ／ＤＣコンバータ２による低圧側バッテリ６の充電を積極的に行う。これにより、負荷率が１００％付近での動作となり、ＤＣ／ＤＣコンバータ２の電力変換効率を高効率化することができる。つまり、本実施形態でＤＣ／ＤＣコンバータ２の電圧変換動作を実行させるための「低圧側バッテリ６の蓄電残量が所定値以下であること」という条件は、「ＤＣ／ＤＣコンバータ２の負荷率が所定値以上となること（これにより電力変換効率を高い位置に維持すること）」を満足するための条件の一例である。
【００３６】
次に、本実施形態に係るＤＣ／ＤＣコンバータ２（スイッチング電源）の効果を説明する。
【００３７】
本実施形態のＤＣ／ＤＣコンバータ２は、入力電圧を変換し出力電圧を生成する電圧変換動作を実行可能なスイッチング方式の電源回路２１と、電源回路２１の電圧変換動作を制御する制御部２２と、を備える。制御部２２は、電源回路２１の負荷率が所定値以上となる状態のとき、具体的には、電源回路２１の出力側の低圧側バッテリ６の蓄電残量が所定値以下のとき、電源回路２１の電圧変換動作を実行させる。
【００３８】
この構成により、電源回路２１の出力側の低圧側バッテリ６の蓄電残量が所定値以下であるとき、すなわち、電源回路２１の負荷率を所定値以上にできる状態に絞って、ＤＣ／ＤＣコンバータ２の電源回路２１の電圧変換動作が実行されるので、ＤＣ／ＤＣコンバータ２の電力変換効率を高い位置に維持することが可能となり、電力変換効率を向上できる。また、単一のＤＣ／ＤＣコンバータ２による電圧変換動作の実施／停止を切り替えることによって電力変換効率の向上を図る構成であるので、従来のように軽負荷状態が生じるのを回避するために複数のＤＣ／ＤＣコンバータを併用する必要がなく、電源装置１の肥大化を防止できる。さらに、低圧側バッテリ６の蓄電残量が多い状況では充電が行われないので、低圧側バッテリ６の過充電を回避でき、低圧側バッテリ６の長寿命化を見込める。
【００３９】
また、本実施形態のＤＣ／ＤＣコンバータ２において、制御部２２は、電源回路２１の出力側の負荷対象である低圧側負荷８の状態を監視し、低圧側負荷８が作動状態の場合には、低圧側負荷８が非作動状態の場合に比べて、蓄電残量の所定値を増加させる。
【００４０】
この構成により、低圧側負荷８が作動状態の場合には、ＤＣ／ＤＣコンバータ２の電圧変換動作を実行可能となる低圧側バッテリ６の蓄電残量の範囲が拡張される。上述のとおり、低圧側負荷８が作動状態の場合には、ＤＣ／ＤＣコンバータ２から低圧側に供給される電力は、低圧側バッテリ６の充電の他に、低圧側負荷８の駆動にも利用される。このため、低圧側負荷８が非作動状態の場合と比較して、低圧側バッテリ６の充電可能量が相対的に少なくても、低圧側バッテリ６に電力が過剰供給されて過充電となる可能性が低い。従って、低圧側負荷８が作動状態の場合には、ＤＣ／ＤＣコンバータ２の電圧変換動作を実行可能となる低圧側バッテリ６の蓄電残量の範囲を拡張しても、電力変換効率を高い位置で維持できると考えられる。これにより、電力変換効率を向上させつつ、ＤＣ／ＤＣコンバータ２の電圧変換動作を実行する機会を増やすことができる。
【００４１】
以上、本発明の実施形態を説明したが、上記実施形態は、例として提示したものであり、発明の範囲を限定することは意図していない。上記実施形態は、その他の様々な形態で実施されることが可能であり、発明の要旨を逸脱しない範囲で、種々の省略、置き換え、変更を行うことができる。上記実施形態及びその変形は、発明の範囲や要旨に含まれると同様に、特許請求の範囲に記載された発明とその均等の範囲に含まれるものである。
【００４２】
上記実施形態では、入力電圧を変換し出力電圧を生成するスイッチング電源の一例として、降圧型のＤＣ／ＤＣコンバータ２を挙げて説明したが、これに限らず、例えば昇圧型のＤＣ／ＤＣコンバータでもよいし、ＡＣ／ＤＣコンバータでもよい。
【００４３】
また、上記実施形態では、本実施形態に係るＤＣ／ＤＣコンバータ２（スイッチング電源）が適用される構成の一例として、図１に示す電源装置１を例示したが、これに限られず、例えば図５に示す他の装置にも適用可能である。図５は、本実施形態に係るスイッチング電源が適用される電源装置の概略構成の他の例を示す図である。図５に示す電源装置１ａは、スタータモータ４が高圧側に配置される点で、上記実施形態の電源装置１と異なるものである。また、図１，５に示すスタータモータ４に電力を供給するための電源装置１，１ａ以外の各種装置にも、本実施形態に係るＤＣ／ＤＣコンバータ２（スイッチング電源）を適用可能である。
【００４４】
また、上記実施形態では、ＤＣ／ＤＣコンバータ２の電圧変換動作を実行させるための条件として「低圧側バッテリ６の蓄電残量が所定値以下であること」を例示したが、「ＤＣ／ＤＣコンバータ２の負荷率が所定値以上となること（これにより電力変換効率を高い位置に維持すること）」を満足する条件であれば、他の条件を用いても良い。例えば、ＤＣ／ＤＣコンバータ２の出力側の負荷対象（図１の例では低圧側負荷８またはスタータモータ４）の負荷動作状況に関する情報に基づき、ＤＣ／ＤＣコンバータ２から負荷対象へ供給される負荷動作電力が図４に示す負荷率〜電力変換効率特性の高効率地点となっている場合、言い換えると、ＤＣ／ＤＣコンバータ２の定格出力容量に対する負荷動作電力の比率である負荷率が電力変換効率の高い領域にある場合に、ＤＣ／ＤＣコンバータ２の電圧変換動作を実行させる構成とすることも可能である。
【００４５】
また、上記実施形態では、ＤＣ／ＤＣコンバータ２の電圧変換動作を実行させるための低圧側バッテリ６のＳＯＣの閾値を、低圧側負荷８が作動状態の場合には、低圧側負荷８が非作動状態の場合に比べて嵩上げする構成を例示したが、これに限らず、低圧側負荷８の動作状態によらず一定値としてもよい。
【符号の説明】
【００４６】
２  ＤＣ／ＤＣコンバータ（スイッチング電源）
２１  電源回路
２２  制御部
６  低圧側バッテリ（蓄電装置）
８  低圧側負荷（負荷対象）
【図１】
2015220901.tif 000003
【図２】
2015220901.tif 000004
【図３】
2015220901.tif 000005
【図４】
2015220901.tif 000006
【図５】
2015220901.tif 000007